(57)【要約】【課題】ステップバーの前方が上下に動揺することのできるエリプティカルトレーナーを提供する。【解決手段】支柱１１を備えるベース１０と、支柱１１に取り付けられる枢軸１２と、枢軸１２に連結される一対のハンドル２０と、一対のステップバー３０及び枢軸１５を用いてベース１０に設けられる一対のクランク５０であって、クランク５０にはそれぞれ軸５１が備えられ、ステップバー３０の後方３６がそれぞれ軸５１に連結されるクランク５０と、を含み、ステップバー３０の後方３６は動揺バー（５２）を用いてクランク５０の軸５１に回転可能に接続され、連結装置（７０）が前記ステップバー３０とクランク５０とを連結する。【選択図】図１
0003146072.tif 000002
【実用新案登録請求の範囲】
【請求項１】
支柱（１１）を備えるベース（１０）と、前記支柱（１１）に取り付けられる枢軸（１２）と、前記枢軸（１２）に連結される一対のハンドル（２０）と、一対のステップバー（３０）及び枢軸（１５）を用いて前記ベース（１０）に設けられる一対のクランク（５０）であって、クランク（５０）にはそれぞれ軸（５１）が備えられ、ステップバー（３０）の後方（３６）がそれぞれ前記軸（５１）に連結されるクランク（５０）と、を含み、
前記ステップバー（３０）の後方（３６）は動揺バー（５２）を用いて前記クランク（５０）の前記軸（５１）に回転可能に接続され、連結装置（７０）が前記ステップバー（３０）と前記クランク（５０）とを連結することを特徴とするエリプティカルトレーナー。
【請求項２】
前記連結装置（７０）は前記ベース（１０）に回転可能に接続される二本の動揺アーム（７１）を含み、前記動揺アーム（７１）の底端（７３）は連動バー（７４）を用いてステップバー（３０）に回転可能に接続され、前記動揺アーム（７１）の中間個所（７５）は別の連動バー（５５）を用いて前記クランク（５０）に回転可能に接続されることを特徴とする請求項１記載のエリプティカルトレーナー。
【請求項３】
前記ハンドル（２０）には前記各ステップバー（３０）の前方（３１）に連結される延伸アーム（２４）が備えられ、一対の連動バー（３２）がステップバー（３０）とハンドル（２０）との間に連結されることを特徴とする請求項１記載のエリプティカルトレーナー。
【考案の詳細な説明】
【技術分野】
【０００１】
本考案はステップバーの前方が上下に動くことができるエリプティカルトレーナーに関するものである。
【背景技術】
【０００２】
現在使われているエリプティカルトレーナーの前方ハンドルはすべて直接支柱に連結されて前後だけに動揺することができ、上下に動くことができない。
【考案の開示】
【考案が解決しようとする課題】
【０００３】
本考案はステップバーの前方が上下に動揺することのできるエリプティカルトレーナーを提供するものである。
【課題を解決するための手段】
【０００４】
本発明は、支柱を備えるベースと、前記支柱に取り付けられる枢軸と、前記枢軸に連結される一対のハンドルと、一対のステップバー及び枢軸を用いて前記ベースに設けられる一対のクランクであって、クランクにはそれぞれ軸が備えられ、ステップバーの後方がそれぞれ前記軸に連結されるクランクと、を含み、前記ステップバーの後方は動揺バーを用いて前記クランクの前記軸に回転可能に接続され、連結装置が前記ステップバーと前記クランクとを連結する
【考案を実施するための最良の形態】
【０００５】
本考案の一実施形態によるエリプティカルトレーナーは前方に支柱１１を備えるベース１０と、支柱１１に取り付けられる枢軸１２と、後方に備える別の支柱１３とを含み、一対のハンドル２０の中間個所２１にはスリーブ(sleeve)２２が設けられて枢軸１２に連結され、それにはそれぞれグリップ(grip)２３を備え、及び中間個所２１またはスリーブ２２から延伸アーム２４が延伸される。一対のステップバー３０の前方３１はそれぞれ連結装置４０を用いて各ハンドル２０の延伸アーム２４に連結され、それによってステップバー３０の前方３１は延伸アーム２４に伴って上下に動くことができる。連結装置４０はバー４１を含み、それの一端または頂上端４２は枢軸４３を用いて各ハンドル２０の延伸アーム２４に連結され、別の一端または底端４４はステップバー３０の前方３１に回転可能に接続され、それによってステップバー３０の前方３１はハンドル２０の延伸アーム２４の上下移行に伴って上下の移動することができる。連動バー３２の一端33はステップバー３０に回転可能に接続され、その他の一端３４は枢軸２６を用いてハンドル２０の底部２５に回転可能に接続され、それによってハンドル２０の延伸アーム２４とステップバー３０及び連結装置４０の相互関係を保持し、延伸アーム２４とステップバー３０の前方３１が上下に動くことを保持する。
【０００６】
一対のクランク５０は枢軸１５を用いて支柱１３に取り付けられ、それにはそれぞれ枢軸１５から遠のく個所に設けられる軸５１が備えられ、それは直接ステップバー３０の後方３６に回転可能に接続されることに供され、または動揺バー５２を用いて間接的にステップバー３０の後方３６に回転可能に接続され、それによってステップバー３０の後方３６は円形に回転及び／または前後に動揺し、かつステップバー３０全体は楕円形を描くように回転することができ。ステップバー３０にはそれぞれペダル(pedal)３７が備えられ、それは枢軸３８を用いてステップバー３０の中間個所３９に連結され、連動バー３２の他の一端３４はペダル３７に連結されてペダル３７を上下ある角度回るよう動かす。
【０００７】
回転輪６０は枢軸１５を用いて支柱１３に設けられ、並びにクランク５０に伴って回転することができ、従動輪６１は別の枢軸６２を用いて支柱１３に取り付けられ、それは例えばベルト(belt)のような連結部材６３を用いて回転輪６０に連結され、それによって回転輪６０と枢軸１５に対して抵抗力を施す。この他に例えば電磁ブレーキ(brake)、または液体圧または気圧の抵抗力装置等も回転輪６０と枢軸１５に対して抵抗力を施すことに用いられる。
【０００８】
クランク５０はそれぞれ枢軸５４を備えて両クランク段５３の間に固定され、二つの連結装置７０はそれぞれ動揺アーム７１を備え、それの一端または頂上端７２は枢軸１６を用いてベース１０または支柱１３に連結され、それの別の一端または底端７３は別の連動バー７４を用いてステップバー３０の中間個所３９に回転可能に接続され、動揺アーム７１の中間個所７５はもう一本の連動バー５５を用いてクランク５０の両クランク段５３間の枢軸５４に回転可能に接続され、その動揺アーム７１には一つまたは一つ以上の互いに連通する孔７６が設けられ、それは固定部材７７を用いて連動バー５５を調整可能に動揺アーム７１に連結されることに供され、こうすればステップバー３０の移動行程を調整することができる。
【０００９】
ステップバー３０の後方３６もその他連結装置を用いてベース１０に連結されることができ、本実施形態の連動バー３２はステップバー３０とハンドル２０の間に連結されて延伸アーム２４を前向きの方向へ上下に動くことができる。本実施形態のクランク５０とステップバー３０間の連動関係も維持することができる。
【図面の簡単な説明】
【００１０】
【図１】本考案の一実施形態による外観図である。
【図２】本考案の一実施形態による外観図である。
【図３】本考案の一実施形態による平面図である。
【図４】本考案の一実施形態による分解図である。
【図５】本考案の一実施形態による分解図である。
【図６】本考案の一実施形態による作動図である。
【図７】本考案の一実施形態による作動図である。
【図８】本考案の一実施形態による作動図である。
【符号の説明】
【００１１】
１０：ベース、１１：支柱、１２：枢軸１３：支柱、１４：後方、１５：枢軸、２０：ハンドル、２１：中間個所、２２：スリーブ、２３：グリップ、２４：延伸アーム、２５：底部、２６：枢軸、３０：ステップバー、３１：前方、３２：連動バー、３３：一端、３４：他の一端、３６：後方、３７：ペダル、３８：枢軸、３９：中間個所、４０：連結装置、４１：バー、４２：一端または頂上端、４３：枢軸、４４：他の一端または底端、５０：クランク、５１：軸、５２：動揺バー、５３：両クランク段、５４：枢軸、５５：連動バー、６０：回転輪、６１：従動輪、６２：枢軸、７０：連結装置、７１：動揺アーム、７２：一端または頂上端、７３：他の一端または底端、７４：連動バー、７５：中間個所、７６：孔、７７：固定部材
【図１】
0003146072.tif 000003
【図２】
0003146072.tif 000004
【図３】
0003146072.tif 000005
【図４】
0003146072.tif 000006
【図５】
0003146072.tif 000007
【図６】
0003146072.tif 000008
【図７】
0003146072.tif 000009
【図８】
0003146072.tif 000010